(57)【要約】【課題】  同じ画像データを複数の宛先へ送信するに際し，簡単な操作で宛先ごとに異なる付加情報を付加して送信することができる画像データ送信装置およびそれを用いた画像データ送受信システムを提供すること。【解決手段】  文書の画像を読み取り，その画像の送信先を設定する（＃１）。複数の送信先の設定が可能である。次に，付加情報を入力するか否かを選択する（＃２）。入力する場合には（＃２：Ｙｅｓ），＃１で設定した送信先の中から，付加情報を送付する送信先を選択する（＃３）。そして，その送信先への付加情報を入力し，付加情報と送信先とを関連づける（＃４）。付加情報の入力が完了したら（＃５：Ｙｅｓ），画像データと付加情報とを合成する（＃６）。そして，＃３で選択した送信先には，その送信先向けの合成データを送信する（＃７）。＃３で選択されなかった送信先には画像データそのものを送信する。【選択図】          図６
2006054781.tif 000002
【特許請求の範囲】
【請求項１】
画像データを取得する画像データ取得部と，画像データを送信先へ向けて送信する画像データ送信部とを有する画像データ送信装置において，
２以上の送信先を設定する送信先設定部と，
前記送信先設定部で設定された送信先のうち１つ以上を選択する送信先選択部と，
画像データに付加する付加情報を取得する付加情報取得部と，
前記送信先選択部で選択された送信先と前記付加情報取得部で取得した付加情報とを関連づける送信先−付加情報関連づけ部と，
前記送信先選択部で選択された送信先について，前記画像データ取得部で取得した画像データに，前記送信先−付加情報関連づけ部でその送信先に関連づけられている付加情報を付加した合成データを作成するデータ合成部とを有し，
前記画像データ送信部は，前記送信先選択部で選択された送信先に対しては，その送信先について前記データ合成部で作成した合成データを送信することを特徴とする画像データ送信装置。
【請求項２】
請求項１に記載する画像データ送信装置において，前記画像データ送信部は，
前記送信先選択部で選択されていない送信先に対しては，付加情報が付加されていない画像データを送信することを特徴とする画像データ送信装置。
【請求項３】
請求項１に記載する画像データ送信装置において，
前記画像データ取得部で取得する画像データのページ情報を記憶するページ情報記憶部と，
前記ページ情報記憶部に記憶されているページ情報に含まれるページのうち１つ以上を選択するページ選択部と，
前記ページ選択部で選択されたページと前記付加情報取得部で取得した付加情報とを関連づけるページ−付加情報関連づけ部とを有し，
前記データ合成部は，前記ページ−付加情報関連づけ部でページと関連づけられている付加情報については，画像データ中の当該ページに付加することを特徴とする画像データ送信装置。
【請求項４】
画像データを取得する画像データ取得部と，画像データを送信先へ向けて送信する画像データ送信部とを有する画像データ送信装置において，
送信先を設定する送信先設定部と，
画像データに付加する付加情報を取得する付加情報取得部と，
前記画像データ取得部で取得する画像データのページ情報を記憶するページ情報記憶部と，
前記ページ情報記憶部に記憶されているページ情報に含まれるページのうち１つ以上を選択するページ選択部と，
前記ページ選択部で選択されたページと前記付加情報取得部で取得した付加情報とを関連づけるページ−付加情報関連づけ部と，
前記画像データ取得部で取得した画像データに，前記付加情報取得部で取得された付加情報を付加した合成データを作成するデータ合成部とを有し，
前記データ合成部は，前記ページ−付加情報関連づけ部でページと関連づけられている付加情報については，画像データ中の当該ページに付加し，
前記画像データ送信部は，前記送信先設定部で設定された送信先に対して，前記データ合成部で作成された合成データを送信することを特徴とする画像データ送信装置。
【請求項５】
請求項３または請求項４に記載する画像データ送信装置において，
前記ページ選択部で選択されたページについて，そのページ中の位置（以下，「指定位置」という）を指定する位置指定部と，
前記ページ−付加情報関連づけ部でページと関連づけられている付加情報と，前記位置指定部で指定された指定位置とを関連づける位置−付加情報関連づけ部とを有し，
前記データ合成部は，前記位置−付加情報関連づけ部で指定位置と関連づけられている付加情報については，画像データ中の当該指定位置に付加することを特徴とする画像データ送信装置。
【請求項６】
請求項５に記載する画像データ送信装置において，
前記画像データ取得部で取得した画像データをページごとに表示するとともに，表示範囲内の位置のユーザによる指定を受け付けるページ表示部を有し，
前記位置指定部は，前記ページ表示部の表示画面上で指示された位置を指定位置とすることを特徴とする画像データ送信装置。
【請求項７】
請求項５に記載する画像データ送信装置において，
前記データ合成部は，前記位置−付加情報関連づけ部で指定位置と関連づけられている付加情報については，受信側装置の表示画面中に当該指定位置を示すマークを表示させる位置表示データをも画像データに付加することを特徴とする画像データ送信装置。
【請求項８】
請求項１または請求項４に記載する画像データ送信装置において，
前記付加情報取得部で取得する付加情報は，音声情報，画像情報，文字情報からなる群に含まれる１つ以上であることを特徴とする画像データ送信装置。
【請求項９】
画像データを取得する画像データ取得部と，画像データを送信先へ向けて送信する画像データ送信部とを有する画像データ送信装置と，前記画像データ送信装置から送信された画像データを受信する画像データ受信装置とを含む画像データ送受信システムにおいて，
前記画像データ送信装置は，
２以上の送信先を設定する送信先設定部と，
前記送信先設定部で設定された送信先のうち１つ以上を選択する送信先選択部と，
画像データに付加する付加情報を取得する付加情報取得部と，
前記送信先選択部で選択された送信先と前記付加情報取得部で取得した付加情報とを関連づける送信先−付加情報関連づけ部と，
前記送信先選択部で選択された送信先について，前記画像データ取得部で取得した画像データに，前記送信先−付加情報関連づけ部でその送信先に関連づけられている付加情報を付加した合成データを作成するデータ合成部とを有し，
前記画像データ送信部は，前記送信先選択部で選択された送信先に対しては，その送信先について前記データ合成部で作成した合成データを送信するものであり，
前記画像データ受信装置は，
受信した画像データを処理する画像データ処理部と，
受信したデータが合成データである場合にその付加情報を処理する付加情報処理部とを有することを特徴とする画像データ送受信システム。
【発明の詳細な説明】
【技術分野】
【０００１】
本発明は，画像データを取得してその画像データを他の装置へ送信する画像データ送信装置に関する。さらに詳細には，画像データに付加情報を付加してともに送信することができる画像データ送信装置に関するものである。さらには，その画像データ送信装置と，受信側の画像データ受信装置とにより構成される画像データ送受信システムに関するものである。
【背景技術】
【０００２】
従来から，文書を読み取って画像データを取得するスキャナが使用されている。スキャナは，パーソナルコンピュータやプリンタ等の他の機器とともに，ネットワークに接続されて使用される場合がある。その場合には，スキャナで取得した画像データを，ネットワークに接続されている他の機器へ送信することができる。このような用途において，画像データに音声データを関連づけて共に送信する技術が，特許文献１に開示されている。特許文献１ではこれにより，文書の伝送に補足説明を加えたり，電話での連絡事項の添付図面を送付したりする処理を簡単に行うことができるとしている。
【特許文献１】特開平８−２３３９６号公報
【発明の開示】
【発明が解決しようとする課題】
【０００３】
しかしながら，前記したようなネットワーク接続環境では，スキャナで読み取った画像データを複数の宛先へ送信したい場合がある。このような場合にさらに，画像データに付随させる付加情報を宛先ごとに変更したい場合がある。しかしながら特許文献１の装置でこれに対応しようとすると，付加情報の異なる宛先ごとにそれぞれデータの入力を行う必要があった。このため，同じ文書を何度も読み込む必要があり，煩雑であった。特許文献１の装置ではまた，補足説明等は画像データの全体に対して付加させられるに過ぎなかった。このため，画像データが大きい場合等には，補足説明等が有効に機能しないこともあった。
【０００４】
本発明は，前記した従来の技術が有する問題点を解決するためになされたものである。すなわちその課題とするところは，同じ画像データを複数の宛先へ送信するに際し，簡単な操作で宛先ごとに異なる付加情報を付加して送信することができる画像データ送信装置およびそれを用いた画像データ送受信システムを提供することにある。あるいは，画像データに付加情報を付加して送信するに際し，付加情報を付加する画像データ中の場所を特定できる画像データ送信装置を提供することにある。
【課題を解決するための手段】
【０００５】
この課題の解決を目的としてなされた本発明の画像データ送信装置は，画像データを取得する画像データ取得部と，画像データを送信先へ向けて送信する画像データ送信部とを有するものであって，２以上の送信先を設定する送信先設定部と，送信先設定部で設定された送信先のうち１つ以上を選択する送信先選択部と，画像データに付加する付加情報を取得する付加情報取得部と，送信先選択部で選択された送信先と付加情報取得部で取得した付加情報とを関連づける送信先−付加情報関連づけ部と，送信先選択部で選択された送信先について，画像データ取得部で取得した画像データに，送信先−付加情報関連づけ部でその送信先に関連づけられている付加情報を付加した合成データを作成するデータ合成部とを有し，画像データ送信部は，送信先選択部で選択された送信先に対しては，その送信先について前記データ合成部で作成した合成データを送信するものである。
【０００６】
この画像データ送信装置においては，送信先設定部により２以上の送信先を設定することができる。さらに送信先選択部により，設定された送信先のうち，付加情報と関連づけられるものを選択することができる。付加情報取得部が画像データに付加する付加情報を取得すると，データ合成部では，画像データ取得部で取得した画像データに，付加情報取得部で取得した付加情報を付加した合成データを作成する。すると画像データ送信部は，送信先選択部で選択された送信先に対しては合成データを送信する。送信される合成データは，その送信先に関連づけられている付加情報をデータ合成部で画像データに付加したものである。したがって，送信先によって異なる付加情報を関連づけて選択しておくことにより，送信先ごとに固有の付加情報が付加された合成データを送信することができる。ここにおいて画像データそのものについては，送信先ごとにあらためて取得する必要はない。
【０００７】
この画像データ送信装置においては，送信先設定部で設定されている送信先のすべてが送信先選択部により選択されているとは限らない。送信先選択部で選択されていない送信先，すなわち付加情報と関連づけられていない送信先に対しては，付加情報が付加されていない画像データが画像データ送信部により送信されることとなる。
【０００８】
本発明の画像データ送信装置はさらに，画像データ取得部で取得する画像データのページ情報を記憶するページ情報記憶部と，ページ情報記憶部に記憶されているページ情報に含まれるページのうち１つ以上を選択するページ選択部と，ページ選択部で選択されたページと付加情報取得部で取得した付加情報とを関連づけるページ−付加情報関連づけ部とを有することができる。その場合にデータ合成部は，ページ−付加情報関連づけ部でページと関連づけられている付加情報については，画像データ中の当該ページに付加するのである。これにより，画像データについて，付加情報が付加されるページを特定することができる。
【０００９】
本発明の別の画像データ送信装置は，画像データを取得する画像データ取得部と，画像データを送信先へ向けて送信する画像データ送信部とを有するものであって，送信先を設定する送信先設定部と，画像データに付加する付加情報を取得する付加情報取得部と，画像データ取得部で取得する画像データのページ情報を記憶するページ情報記憶部と，ページ情報記憶部に記憶されているページ情報に含まれるページのうち１つ以上を選択するページ選択部と，ページ選択部で選択されたページと付加情報取得部で取得した付加情報とを関連づけるページ−付加情報関連づけ部と，画像データ取得部で取得した画像データに，付加情報取得部で取得された付加情報を付加した合成データを作成するデータ合成部とを有し，データ合成部は，ページ−付加情報関連づけ部でページと関連づけられている付加情報については，画像データ中の当該ページに付加し，画像データ送信部は，送信先設定部で設定された送信先に対して，データ合成部で作成された合成データを送信するものである。
【００１０】
本発明の画像データ送信装置はさらに，ページ選択部で選択されたページについて，そのページ中の指定位置を指定する位置指定部と，ページ−付加情報関連づけ部でページと関連づけられている付加情報と，前記位置指定部で指定された指定位置とを関連づける位置−付加情報関連づけ部とを有することができる。その場合にデータ合成部は，位置−付加情報関連づけ部で指定位置と関連づけられている付加情報については，画像データ中の当該指定位置に付加するのである。これにより，画像データについて，付加情報を特定のページ内のどの位置に付加するのかを特定することができる。
【００１１】
本発明の画像データ送信装置はさらに，画像データ取得部で取得した画像データをページごとに表示するとともに，表示範囲内の位置のユーザによる指定を受け付けるページ表示部を有することが望ましい。ページ表示部があることによりユーザは，指定しようとする位置を表示画面上で簡単に指示することができる。よって位置指定部は，ページ表示部の表示画面上で指示された位置を指定位置とするのである。
【００１２】
本発明の画像データ送信装置ではさらに，データ合成部が，位置−付加情報関連づけ部で指定位置と関連づけられている付加情報については，受信側装置の表示画面中に当該指定位置を示すマークを表示させる位置表示データをも画像データに付加することが望ましい。これによって受信側装置のユーザか，情報の付加位置を容易に認識できるからである。
【００１３】
本発明の画像データ送信装置において，付加情報取得部で取得する付加情報の例としては，音声情報，画像情報，文字情報が挙げられる。
【００１４】
本発明は，上記のいずれかの画像データ送信装置と，画像データ送信装置から送信された画像データを受信するとともに，受信した画像データを処理する画像データ処理部と，受信したデータが合成データである場合にその付加情報を処理する付加情報処理部とを有する画像データ受信装置とにより構成される画像データ送受信システムにも及ぶ。
【発明の効果】
【００１５】
本発明によれば，同じ画像データを複数の宛先へ送信するに際し，簡単な操作で宛先ごとに異なる付加情報を付加して送信することができる画像データ送信装置およびそれを用いた画像データ送受信システムが提供されている。あるいは，画像データに付加情報を付加して送信するに際し，付加情報を付加する画像データ中の場所を特定できる画像データ送信装置が提供されている。
【発明を実施するための最良の形態】
【００１６】
以下，本発明を具体化した最良の形態について，添付図面を参照しつつ詳細に説明する。本形態は，図１のブロック図に示す画像データ送受信システムに本発明を適用したものである。図１の画像データ送受信システムは，スキャナ１と，データ受信装置３，４とがサーバ２を介して接続されたものである。サーバ２は外部回線にも接続されている。各データ受信装置にはそれぞれに固有のアドレスが割り当てられている。データ受信装置３，４としては，パーソナルコンピュータが用いられている。図１中には１台のスキャナと２台のデータ受信装置しか描かれていないが，実際にはもっと多くの機器が接続されている。プリンタやファクシミリ機などが接続されていてもよい。
【００１７】
図１の画像データ送受信システムにおけるスキャナ１は，図２のブロック図に示すように構成されている。すなわちスキャナ１には，画像読み取り部１１，付加情報入力部１９，送信先設定部２３，送信先−付加情報関連づけ部２４，データ合成部２５，データ送信部２６，付加位置制御部３０，そして操作表示パネル３１が設けられている。
【００１８】
画像読み取り部１１は，文書の画像を読み取って画像データを出力する一般的なものである。付加情報入力部１９は，画像データに付加して送信する付加情報をユーザが入力するものである。付加情報には，音声情報や，画像データ（画像読み取り部１１で読み取るものとは別のもの，アイコン，動画等），文字情報（リンク先情報等）がある。ここでは，ユーザが自己の携帯端末により音声情報を入力するものとする。なお音声情報の入力は，スキャナ１にマイクロフォン等が備えられていればそれによっても可能である。送信先設定部２３は，読み取った画像データをパーソナルコンピュータ３，４……のいずれに送信するかを設定するものである。具体的には，ユーザが操作表示パネル３１から入力することとなる。
【００１９】
送信先−付加情報関連づけ部２４は，付加情報入力部１９で入力された付加情報と，送信先設定部２３で設定された送信先情報とを関連づけるものである。すなわち，どの付加情報をどの送信先へ送信するかを設定するものである。具体的には，ユーザが操作表示パネル３１から入力することとなる。データ合成部２５は，画像読み取り部１１で文書の画像を読み取って得た画像データと，付加情報入力部１９で入力された付加情報とを合成して合成データを作成するものである。データ送信部２６は，データ合成部２５で作成された合成データをサーバ２へ送出するするものである。付加位置制御部３０は，付加情報を画像データのどの位置へ付加するかを制御するものである。具体的には，操作表示パネル３１から付加位置の入力を受け付け，入力された付加位置により付加情報を変換する。操作表示パネル３１は，図３に示すように，画面３２と，スキャンキー３３と，入力キー３４とを有している。画面３２はタッチパネル機能を有している。
【００２０】
図２中の付加位置制御部３０はさらに，図４のブロック図に示すように構成されている。図４に示す付加位置制御部３０には，ページ情報記憶部１２，ページ選択部１３，画像表示部１４，位置指定部１５，位置データ処理部１６，位置データ変換部１７，付加位置表示部１８，ページ関連づけ部２０，付加位置関連づけ部２１，そして付加情報変換部２２の各ブロックが設けられている。
【００２１】
ページ情報記憶部１２は，画像読み取り部１１で読み取った画像データのページ構成を示すページデータを記憶するブロックである。ページ選択部１３は，ページデータに基づいて，付加情報を付加するページを選択するブロックである。画像表示部１４は，ページ選択部１３からの選択ページデータに基づいて，現在選択されているページの画像を操作表示パネル３１の画面３２に表示するブロックである。位置指定部１５は，画面３２上の位置をユーザが指定する制御を行うブロックである。位置データ処理部１６は，位置指定部１５で指定された位置に基づいて画面上位置データを出力するブロックである。
【００２２】
位置データ変換部１７は，ページ選択部１３からの選択ページデータと位置データ処理部１６からの画面上位置データとに基づいて，画像上位置データを出力するブロックである。付加位置表示部１８は，位置指定部１５で指定されている位置を画面３２に表示するブロックである。ページ関連づけ部２０は，ページ選択部１３で選択されたページと付加情報との関連づけを行うブロックである。付加位置関連づけ部２１は，位置指定部１５で指定された位置と付加情報との関連づけを行うブロックである。付加情報変換部２２は，付加情報を，画像データに付加できる形式に変換するブロックである。
【００２３】
図１の画像データ送受信システムにおけるデータ受信装置３，４は，図５のブロック図に示すように，データ受信部２７と，画像データ処理部２８と，付加情報処理部２９とを有している。これにより，サーバ２を介してデータ受信部２７で合成データを受信し，画像データ処理部２８と付加情報処理部２９とに合成データを分配するようになっている。そして画像データ処理部２８では合成データ中の画像データを，付加情報処理部２９では合成データ中の付加情報を，それぞれ抽出して処理するのである。むろん，合成データを画像データと付加情報とに分離してから，必要な方のみを画像データ処理部２８および付加情報処理部２９に分配するようになっていてもよい。
【００２４】
次に，本形態の画像データ送受信システムにおけるスキャナ１の全体動作を，図６のフローチャートにより簡単に説明する。本形態のスキャナ１では，画像読み取り部１１で文書の画像を読み取り，また，送信先設定部２３でその画像の送信先を設定する（＃１）。さらに，付加情報入力部１９で付加情報を入力するか否かの選択を行う（＃２）。入力しない場合には（＃２：Ｎｏ），画像データがそのまま送信先へ送信される（＃７）。
【００２５】
付加情報を入力する場合には（＃２：Ｙｅｓ），送信先設定部２３で設定した送信先の中から，付加情報を送付する送信先を選択する（＃３）。そして，付加情報入力部１９での付加情報の入力処理や，その付加情報についての種々の関連づけ処理を行う（＃４）。関連づけ処理には，送信先と付加情報との関連づけや，画像データ中のページと付加情報との関連づけ，さらにはページ中の位置と付加情報との関連づけが含まれる。そして，付加情報に関する処理が完了したか否かを決定する（＃５）。未完了（＃５：Ｎｏ）であれば＃３へ戻り，完了した（＃５：Ｙｅｓ）ら＃６へ進む。そしてデータの合成を実行する（＃６）。むろんこの場合のデータ送信（＃７）では，付加情報と関連づけられた送信先に対しては合成データが送信される。以上が本形態の画像データ送受信システムの全体動作である。
【００２６】
続いて，スキャナ１の動作について，図６のみならず図７〜図２１をも参照してさらに詳細に説明する。
【００２７】
まず，図６のフローチャート中の＃１「画像・送信先入力処理」について，図７のフローチャートにより説明する。画像・送信先入力処理ではまず，送信先の設定を行う（＃１１）。送信先の設定の際には操作表示パネル３１の画面３２が，送信先設定部２３の制御により図８に示すようにされる。この状態で，ユーザが入力キー３４で送信先のアドレスを入力するのである。あるいは，すでに登録されているアドレスの中から選択することもできる。その場合には，図８の画面３２中，「アドレス帳１」と表示されている部分，あるいは「アドレス帳２」と表示されている部分にタッチして登録済アドレスを呼び出し，選択する。入力あるいは選択されるアドレスは，１つに限らず複数でもよい。かくして入力され，あるいは選択されたアドレスが，今回送信しようとする送信先を示す送信先データとされる。
【００２８】
次に，画像のスキャンを行う（＃１２）。具体的には，ユーザが原稿載置箇所に読み取り対象の文書を載置して，操作表示パネル３１のスキャンキー３３を押すことによりスキャンが実行される。すると，読み取りの出力が画像データ処理され，画像データが作成される（＃１３）。そして，画像データのページ構成を示すページデータがページ情報記憶部１２に記憶される（＃１４）。以上が画像・送信先入力処理である。なお，＃１１の送信先設定と，＃１２〜＃１４の画像データに関する処理との順序を入れ替えてもよい。
【００２９】
図７の画像・送信先入力処理が終了すると，図６中の＃２の，付加情報の有無の選択を行う。このときには操作表示パネル３１の画面３２が，付加情報入力部１９の制御により図９に示すようにされる。この状態でユーザが，画面３２中の「読取った画像を送信」と表示されている部分にタッチすると，スキャナ１は（＃２：Ｎｏ）と判断する。この場合には直ちに＃７へ進み，＃１２で取得された画像データがそのまま，＃１１で設定されたすべての送信先へ送信される。
【００３０】
図９の画面３２で「読取った画像に情報付加」と表示されている部分にタッチすると，スキャナ１は（＃２：Ｙｅｓ）と判断する。すると＃３「送信先の選択」へ進む。このときには操作表示パネル３１の画面３２が，付加情報入力部１９の制御により図１０の（ａ）に示すようにされる。この状態での画面３２には，＃１１で設定されたすべての送信先が一覧表示されている。ここでユーザは，付加情報を付加して送信しようとする送信先にタッチして反転表示させ，そして「選択」と表示されている部分にタッチする。すると画面３２は，図１０の（ｂ）に示す状態になる。この状態での画面３２には，直前の画面で選択された送信先のみが一覧表示されている。この状態で「完了」と表示されている部分にタッチすると選択が確定する。これにより送信先群ｎ（ｎは１から始まる自然数）が選択される。これで＃３「送信先の選択」は終了する。
【００３１】
なお，図１０の（ａ）の画面３２では，送信先を１つだけ選択してもよいし，複数個選択してもよい。一覧表示されているすべての送信先を選択してもよい。送信先を１つも選択しないで「選択」にタッチすると，付加情報の入力をしないものとして扱われる。また，図１０の（ｂ）の画面３２で「戻る」と表示されている部分にタッチすると，図１０の（ａ）の画面に戻る。そこで選択をやり直すことができる。
【００３２】
＃３「送信先の選択」が終了すると，選択された送信先群ｎについての，＃４「付加情報入力および関連づけ処理」へ進む。この処理について，図１１のフローチャートにより説明する。付加情報入力および関連づけ処理ではまず，ページ指定の有無の選択を行う（＃４１）。すなわち，これから入力する付加情報について，画像データの全体に対して付加するのか，それとも画像データ中の特定のページに付加するのかを選択する。このときには操作表示パネル３１の画面３２が，ページ選択部１３の制御により図１２に示すようにされる。
【００３３】
この状態での画面３２でユーザが，「ファイルに付加」と表示されている部分にタッチすると，スキャナ１は（＃４１：Ｎｏ）と判断する。すなわち，ページ指定をせず画像データ全体に対して付加情報を付加するものとして扱う。これから入力する付加情報が，画像データ中の特定のページと特に関連するものでない場合にこうすればよい。この場合には，図１１のフロー中の経路(１)により直ちに後述する＃４５へ進む。図１２の画面３２でユーザが，「ページ毎に付加」と表示されている部分にタッチすると，スキャナ１は（＃４１：Ｙｅｓ）と判断する。すなわち，ページ指定をして，指定された特定のページに付加情報を付加するものとして扱う。これから入力する付加情報が，画像データ中の特定のページと特に関連が強い場合にこうすればよい。この場合には＃４２へ進む。
【００３４】
ページ指定をする場合には（＃４２），操作表示パネル３１の画面３２が，ページ選択部１３の制御により図１３に示すようにされる。この状態でユーザが，ページ番号を入力キー３４で入力し，「決定」と表示されている部分にタッチすることにより，ページが指定される。これから入力する付加情報と特に強く関連するページを指定すればよい。これにより選択ページデータが生成される。あるいはここで，読み取った画像の個々のページを画面３２に表示して（順次，または縮小して一斉），ユーザに選択させてもよい。
【００３５】
続いて，位置指定の有無の選択を行う（＃４３）。すなわち，指定したページ内で具体的な付加位置を指定するのか，それともページ全体に対して付加するのかを選択する。このときには操作表示パネル３１の画面３２が，位置指定部１５の制御により図１４に示すようにされる。この状態でユーザが，「Ｎｏ」と表示されている部分にタッチすると，スキャナ１は（＃４３：Ｎｏ）と判断する。すなわち，位置指定をせずページ全体に対して付加情報を付加するものとして取り扱う。指定した選択ページ内に，これから入力する付加情報と特に強く関連する位置がない場合にこうすればよい。この場合には図１１のフロー中の経路(２)により後述する＃４５へ進む。図１４の画面３２でユーザが，「Ｙｅｓ」と表示されている部分にタッチすると，スキャナ１は（＃４３：Ｙｅｓ）と判断する。すなわち，指定されているページ内でさらに具体的な付加位置の指定をするものとして取り扱う。これから入力する付加情報が，指定した選択ページ内でも特定の位置と特に強く関連する場合にこうすればよい。この場合には，図１１のフロー中の経路(３)により＃４４「位置指定処理」を経て＃４５へ進む。
【００３６】
＃４４の位置指定処理の詳細を，図１５のフローチャートにより説明する。位置指定処理ではまず，読み取った画像のうち＃４２で指定されたページの画像を画像表示部１４の制御により画面３２に表示する（＃４４１）。これにより画面３２は，図１６に示す状態となる。この状態での画面３２には位置指定部１５の制御により，当該ページの画像に重ねて縦横のメッシュ模様が表示されている。この状態で，ユーザが付加情報の付加位置を指定するのである（＃４４２）。すなわち，表示されているページ内の所望の位置にタッチしてそこにマークを表示させる。そして「決定」と表示されている部分にタッチすると，位置の指定が確定する。これにより，指定された位置を示す画面上位置データが，位置データ処理部１６により生成される（＃４４３）。さらに，この画面上位置データが，位置データ変換部で，＃４２で生成された選択ページデータにより画像上位置データに変換される（＃４４４）。以上が＃４４の位置指定処理である。
【００３７】
続いて，図１１中の＃４５「付加情報入力」について説明する。付加情報入力では，付加情報の種類の選択と，その入力手段の選択とを行い，その後に入力を実行する。最初に付加情報の種類の選択を行う。このときには画面３２が，付加情報入力部１９の制御により図１７に示すようにされる。この状態でユーザが，「音声データ」と表示されている部分にタッチすると，付加情報の種類として音声が選択される。むろん，他の表示部分にタッチすれば他の種類が選択される。
【００３８】
音声データが選択されると，画面３２が図１８に示すようにされる。ここで入力手段の選択を行う。すなわちユーザが，「携帯電話」と表示されている部分にタッチすると，入力手段として携帯電話が選択される。むろん，他の表示部分にタッチすれば他の種類の入力手段が選択される。なお，図１７で他の種類の付加情報を選択した場合には，図１８で選択できる入力手段もそれに応じたものとなる。
【００３９】
入力手段が選択されると，画面３２が図１９に示すようにされる。この状態でユーザが，「ＳＴＡＲＴ」と表示されている部分にタッチすると，携帯電話による音声の入力を受け付ける状態となる。この状態で音声の入力を行う。音声の入力が終了したらユーザは，図１９中の「ＳＴＯＰ」と表示されている部分にタッチする。すると，音声入力の受け付けが打ち切られる。そして，受け付けた音声により付加情報が作成される。以上が＃４５の処理である。なお，ここで作成された付加情報は，送信先群ｎについての付加情報ｋ（ｋは１から始まる自然数）である。
【００４０】
図１１中の＃４５の後の進み先は，＃４１から＃４５に至った経路により異なる。すなわち，（＃４１：Ｎｏ）により直ちに＃４５に至った場合（経路(１)）には，＃４５から直ちに＃４９へ進む。（＃４１：Ｙｅｓ）→（＃４３：Ｎｏ）で＃４５に至った場合（経路(２)）には，＃４５の後＃４６を経て＃４９へ進む。（＃４１：Ｙｅｓ）→（＃４３：Ｙｅｓ）で＃４５に至った場合（経路(３)）には，＃４５の後＃４６〜＃４８を経て＃４９へ進む。
【００４１】
すなわち，（＃４１：Ｙｅｓ）であった場合（経路(２)，(３)）には，＃４５に続いてページ関連づけが行われる（＃４６）。すなわち，ページ関連づけ部２０により，＃４５で入力された付加情報ｋと，＃４２で生成された選択ページデータとを関連づけるのである。その後，経路(２)の場合には＃４９へ進む。経路(３)の場合には，＃４６に続いて位置関連づけが行われる（＃４７）。すなわち，付加位置関連づけ部２１により，当該付加情報ｋと，＃４４４で得られた画像上位置データとを関連づけるのである。これにより付加位置関連データが作成される。そして，付加位置表示部１８により，位置表示データが作成される（＃４８）。位置表示データは，データ受信装置３，４の画面上に当該画像データを表示する際に，付加情報の付加位置を示すマークを画像に重ねて表示させるデータである。そして＃４９へ進む。
【００４２】
＃４９では，データ変換を行う。すなわち，付加情報変換部２２により，＃４５で入力された付加情報ｋを，画像データへの付加が可能な形式に変換する。これにより変換後付加情報が作成される。データ変換がなされると，同一の送信先群ｎについて付加情報の入力を続行するか否かの選択を行う（＃５０）。１つの画像データに対して複数の付加情報を付加させることもできるからである。このときには，操作表示パネル３１の画面３２が，付加情報入力部１９の制御により図２０に示すようにされる。この状態でユーザが，「さらに情報付加」と表示されている部分にタッチすると，スキャナ１は（＃５０：Ｙｅｓ）と判断する。この場合には，ｎの値はそのままに，ｋの値を１つ増やして＃４１へ戻る。これにより，同一の送信先群ｎについて次の付加情報が入力されることとなる。
【００４３】
図２０の画面３２でユーザが「情報付加終了」と表示されている部分にタッチすると，スキャナ１は（＃５０：Ｎｏ）と判断する。この場合には，その送信先群ｎについての付加情報の入力が終了したことになる。そこで，その送信先群ｎについて入力された付加情報１〜ｋについて，送信先ｎとの関連づけがなされる。すなわち，送信先−付加情報関連づけ部２４により，送信先−付加情報関連データが作成される。これにて，図１１の「付加情報入力および関連づけ処理」は終了する。なお，図１１のフローにおいて，ページや位置の指定に関する処理（＃４１〜＃４４）と，付加情報の入力（＃４５）との順序を入れ替えてもよい。
【００４４】
そして，図６へ戻って＃５へ進む。すなわち，その画像データについての付加情報の入力がすべて完了したか否かの選択を行う。１つの画像データに対して送信先ごとに異なる付加情報を付加させることもできるからである。このときには，操作表示パネル３１の画面３２が，付加情報入力部１９の制御により図２１に示すようにされる。この状態でユーザが，「別の送信先を指定してさらに情報付加」と表示されている部分にタッチすると，スキャナ１は（＃５：Ｎｏ）と判断する。この場合には，ｎの値を１つ増やして＃３へ戻る。これにより，あらためて送信先の選択がなされ（＃３），そしてその新たな送信先についての付加情報の入力等（＃４）がなされることとなる。
【００４５】
図２１の画面３２でユーザが「情報付加完了」と表示されている部分にタッチすると，スキャナ１は（＃５：Ｙｅｓ）と判断する。この場合には，データ合成がなされる（＃６）。すなわちデータ合成部２５により合成データが作成される。合成データは，送信先群ごとに作成される。すなわち，（＃５：Ｎｏ）の判断が一度でも行われた画像データについては，複数種類の合成データが作成される。そして，データ送信部２６によりデータ送信が行われる（＃７）。送信されるデータは，＃３で選択された送信先に対しては，その送信先用に作成された合成データである。＃１１で設定されたが＃３で選択されなかった送信先がある場合，その送信先に対して送信されるデータは，＃１３で作成された画像データそのものである。以上で，スキャナ１における処理は終了する。
【００４６】
スキャナ１から送信されたデータは，サーバ２を介して，データ受信装置３，４……のうち送信先として設定されたものに配信される。データの配信を受けたデータ受信装置では，データ受信部２７でデータを受信する。そして画像データ処理部２８では，受信したデータに含まれている画像データを抽出し，その処理を行う。受信したデータが合成データである場合には，付加情報処理部２９で付加情報を抽出して処理する。さらに，付加情報が位置と関連づけられている場合には，画像データ処理部２８により画像を画面表示する際に，当該付加位置にマークが重ねて表示される（例，図２２中の黒い四角）。このため当該データ受信装置のユーザは，情報が付加されている位置を容易に認識することができる。なお，受信したデータを画像データと付加情報とに分離してから，画像データ処理部２８および付加情報処理部２９に必要な方のみを分配するようになっていてもよい。
【００４７】
以上詳細に説明したように本形態によれば，複数の送信先へ画像データを送信するに際し，送信先ごとに付加情報を付加させることができるスキャナ１およびこれを用いた画像データ送受信システムが実現されている。これにより，画像データを送信する複数の送信先のうち，特定の送信先にのみ付加情報を付加させることができる。また，スキャナ１によれば，付加情報を，画像データの全体に対して付加するばかりでなく，画像データ中の特定のページに関連づけて付加することができる。これにより，付加情報と特に関連するページがある場合に，受信側のユーザにそのページを認識させることができる。
【００４８】
さらにスキャナ１では，付加情報を，特定のページの全体に対して付加するばかりでなく，そのページ内の特定の位置に関連づけて付加することができる。これにより，付加情報と特に関連する位置がある場合に，受信側のユーザにその位置を認識させることができる。また，スキャナ１ではその際，位置表示データをも画像データに付加する。これにより，受信側の画面にて画像を表示する際に，情報が付加されている位置にマークが重ね表示される。よって，受信側のユーザはその位置を容易に認識することができる。また，スキャナ１では，付加情報を特定の位置に付加するに際し，画面３２に当該ページを表示するとともに，付加位置をユーザのタッチにより指定できるようにしている。このため，ユーザとしては位置を容易に指定することができる。
【００４９】
なお，本形態は単なる例示にすぎず，本発明を何ら限定するものではない。したがって本発明は当然に，その要旨を逸脱しない範囲内で種々の改良，変形が可能である。例えば，スキャナに限らず，ファクシミリ機や複合機にも適用可能である。また，外部回線経由でもデータを送信できるものであってもよい。また，スキャナ１にサーバ２の機能を内蔵していてもよい。また，文書の画像を読み取った画像データに限らず，あらかじめメモリに記憶されている画像データを取得して送信する場合についても同様の処理が可能である。デジタルカメラ等と接続して撮像データを取り込んで送信する場合も同様である。また，図２０の選択と図２１の選択とを１画面で併せて行うようにしてもよい。
【図面の簡単な説明】
【００５０】
【図１】本発明の適用対象である画像データ送受信システムの構成を示すブロック図である。
【図２】本形態に係るスキャナの構成を示すブロック図である。
【図３】本形態に係るスキャナにおける操作表示パネルを示す平面図である。
【図４】本形態に係るスキャナにおける付加位置制御部の構成を示すブロック図である。
【図５】本形態におけるデータ受信装置の構成を示すブロック図である。
【図６】本形態の画像データ送受信システムの全体動作を示すフローチャートである。
【図７】画像・送信先入力処理の詳細を示すフローチャートである。
【図８】送信先設定時の操作表示パネルの画面を示す平面図である。
【図９】付加情報の入力の有無の選択時の操作表示パネルの画面を示す平面図である。
【図１０】送信先選択時の操作表示パネルの画面を示す平面図である。
【図１１】付加情報入力および関連づけ処理の詳細を示すフローチャートである。
【図１２】ページ指定の有無の選択時の操作表示パネルの画面を示す平面図である。
【図１３】ページ指定時の操作表示パネルの画面を示す平面図である。
【図１４】位置指定の有無の選択時の操作表示パネルの画面を示す平面図である。
【図１５】位置指定処理の詳細を示すフローチャートである。
【図１６】位置指定時の操作表示パネルの画面を示す平面図である。
【図１７】付加情報の種類の選択時の操作表示パネルの画面を示す平面図である。
【図１８】付加情報の入力手段の選択時の操作表示パネルの画面を示す平面図である。
【図１９】付加情報の入力時の操作表示パネルの画面を示す平面図である。
【図２０】同じ送信先について付加情報の入力を続行するか否かの選択時の操作表示パネルの画面を示す平面図である。
【図２１】付加情報の入力がすべて完了したか否かの選択時の操作表示パネルの画面を示す平面図である。
【図２２】受信側の画面に情報の付加位置を示すマークが重ね表示された状態を示す平面図である。
【符号の説明】
【００５１】
１      スキャナ（画像データ送信装置）
３，４  データ受信装置
１１    画像読み取り部（画像データ取得部）
１２    ページ情報記憶部
１３    ページ選択部
１４    画像表示部
１５    位置指定部
１９    付加情報入力部
２０    ページ関連づけ部
２１    付加位置関連づけ部
２３    送信先設定部
２４    送信先−付加情報関連づけ部
２５    データ合成部
２６    データ送信部
３０    付加位置制御部
３２    画面
【図１】
2006054781.tif 000003
【図２】
2006054781.tif 000004
【図３】
2006054781.tif 000005
【図４】
2006054781.tif 000006
【図５】
2006054781.tif 000007
【図６】
2006054781.tif 000008
【図７】
2006054781.tif 000009
【図８】
2006054781.tif 000010
【図９】
2006054781.tif 000011
【図１０】
2006054781.tif 000012
【図１１】
2006054781.tif 000013
【図１２】
2006054781.tif 000014
【図１３】
2006054781.tif 000015
【図１４】
2006054781.tif 000016
【図１５】
2006054781.tif 000017
【図１６】
2006054781.tif 000018
【図１７】
2006054781.tif 000019
【図１８】
2006054781.tif 000020
【図１９】
2006054781.tif 000021
【図２０】
2006054781.tif 000022
【図２１】
2006054781.tif 000023
【図２２】
2006054781.tif 000024